(57)【要約】  ２つの外側層（１１、１２）とこれらの外側層の間に接合されたクローズドセル構造物（１３）とを備える断熱シート（１０）。このシート（１０）は、ロール構成にされ、また実質的に平坦な構成を取るように広げられることを可能にする厚さになっている。外側層（１１、１２）の各々は補強された反射性アルミニウム箔を備える。クローズドセル発泡体構造物（１３）は交差結合ＬＤＰＥ発泡体などの柔軟な軽量発泡体を備える。外側層（１１、１２）のうちの１つの層の外側表面は、熱反射特性を保持しながら、あるグレア低減を与えるように処理される。クローズドセル構造物（１３）のために断熱シート（１０）は、価値ある断熱効果を与えながら固定のための荷重の下で圧縮可能である。あるいくつかの用途のために断熱シート（１０）は、空気および水蒸気透過性のために穿孔され得る。
2009540159.tif 000002
【特許請求の範囲】
【請求項１】
２つの外側層の間に挟まれたセル構造物であって、該セル構造物はクローズドセル発泡体構造物を備える断熱シート。
【請求項２】
前記クローズドセル発泡体構造物はポリエチレン発泡体を備える、請求項１に記載の断熱シート。
【請求項３】
前記クローズドセル発泡体構造物は交差結合低密度ポリエチレン（ＬＤＰＥ）発泡体を備える、請求項２に記載の断熱シート。
【請求項４】
前記２つの外側層のうちの少なくとも１つは反射箔を備える、請求項１ないし３のいずれか１項に記載の断熱シート。
【請求項５】
両外側層は反射箔を備える、請求項４に記載の断熱シート。
【請求項６】
前記反射箔はアルミニウム箔を備える、請求項５に記載の断熱シート。
【請求項７】
前記アルミニウム箔は９９．５％純アルミニウムの反射箔を備える、請求項６に記載の断熱シート。
【請求項８】
前記外側層のうちの少なくとも１つは引き裂き抵抗のために補強される、先行する請求項のいずれか一項に記載の断熱シート。
【請求項９】
前記補強物は前記外側層に接合されたスクリムを備える、請求項８に記載の断熱シート。
【請求項１０】
前記スクリムは前記外側層にラミネートされた高密度ポリエチレン織物を備える、請求項９に記載の断熱シート。
【請求項１１】
前記反射層のうちの少なくとも１つはグレア低減のために処理される、請求項４〜１０のいずれか一項に記載の断熱シート。
【請求項１２】
前記クローズドセル発泡体構造物は難燃性を備える、先行する請求項のいずれか１項に記載の断熱シート。
【請求項１３】
前記クローズドセル発泡体構造物は耐久性のために抗酸化剤を包含する、先行する請求項のいずれか１項に記載の断熱シート。
【請求項１４】
前記クローズドセル発泡体構造物は紫外線防護性を有する、先行する請求項のいずれか１項に記載の断熱シート。
【請求項１５】
前記外側層は前記断熱シートを貫通する空気および水蒸気透過性のために穿孔される、先行する請求項のいずれか１項に記載の断熱シート。
【請求項１６】
前記穿孔は前記断熱シートの構築後に形成される、請求項１５に記載の断熱シート。
【請求項１７】
前記穿孔は前記２つの外側層と前記２つの外側層の間に配置された前記クローズドセル発泡体構造物とを貫通して延びる、請求項１５または１６に記載の断熱シート。
【請求項１８】
前記穿孔は一方の外側層を貫通して前記クローズドセル発泡体構造物内に延びて、他方の外側層の内側で終わる孔を備える、請求項１５または１６に記載の断熱シート。
【請求項１９】
前記孔は前記一方の外側層の開口部において前記一方の外側層上に開き、また前記他方の外側層には対応する開口部が存在する、請求項１８に記載の断熱シート。
【請求項２０】
前記外側層の前記穿孔と前記クローズドセル発泡体構造物は前記シートを貫通する空気および水蒸気の透過を助けるために位置合わせされている、請求項１７ないし１９のいずれか１項に記載の断熱シート。
【請求項２１】
フレームと、前記フレームに取り付けられたクラッディングと、前記フレームと前記クラッディングとの間の断熱材とを備える建築構造物であって、前記断熱材は先行する請求項のいずれか１項に記載の断熱シートを備える建築構造物。
【請求項２２】
付属図面を参照しながら実質的にここで説明された断熱シート。
【発明の詳細な説明】
【技術分野】
【０００１】
本発明は、断熱材に関し、また特に断熱シートに関する。
【０００２】
本発明は、必ずしもそればかりではないが、特に建物および他の構造物を断熱するために考案されている。したがって本発明はまた、断熱シートを組み込んだ建築構造物にも関する。
【背景技術】
【０００３】
熱反射性断熱シートを含む、建物のために現在利用可能な種々のタイプの断熱材が存在する。本出願人のオーストラリアイノベーション特許第２００３１００６６３号に熱反射性断熱シートの一例が開示されている。このような断熱シートは、２つの外側層のうちの少なくとも一方が反射箔を備える２つの外側層の間に挟まれた単層クローズドセル構造物を備える。この断熱シートは、エネルギー伝達の低減に特に有効な障壁であり、クローズドセル構造は対流と伝導によって伝達される熱の量を低減するように機能し、また反射箔層は、輻射による熱伝達を低減するように機能することが分かっている。
【０００４】
この単層クローズドセル構造物は、プラスチック膜の間に複数の気泡を形成するために互いに接合された複数のプラスチック膜を備える。これらの気泡は、各々が８ミリメートルから２５ミリメートルの間の直径と約３ミリメートルから１０ミリメートルの間の奥行きとを有する概ね円筒形の構造になっている。
【０００５】
気泡の寸法は、従来技術で既に使用された２重層セル構造に依存する必要なしに、必要な断熱特性を与えるように選択された。
【０００６】
しかしながら共に接合された膜によって画定された単層セル構造物を備える断熱シートは、あるいくつかの制約を有する可能性がある。
【０００７】
したがって本発明は、共に接合された膜によって画定されたクローズドセル構造物を必要としない断熱シートを提供することを探求する。
【発明の概要】
【０００８】
本発明の第１の態様によれば、クローズドセル発泡体構造物を備えるセル構造物であって、２つの外側層の間に挟まれたセル構造物を備える断熱シートが提供される。
【０００９】
好ましくはこのクローズドセル発泡体構造物は柔軟であって弾力的に圧縮可能である。
【００１０】
好ましくはこのクローズドセル発泡体構造物はポリエチレン発泡体を備える。より好ましくはこのクローズドセル発泡体構造物は交差結合低密度ポリエチレン（ＬＤＰＥ）発泡体を備える。
【００１１】
この発泡体構造物は、これが耐吸湿性を与え、それによってカビの発生に対する抵抗力を高めるので有利である。
【００１２】
ＬＤＰＥ発泡体は、改善された断熱および防音特性ならびにより大きな耐熱性および耐炎性を断熱シートに与えるので有利である。
【００１３】
好ましくは２つの外側層のうちの少なくとも一方は反射箔を備える。より好ましくは両外側層は反射箔を備える。
【００１４】
好ましくはこの反射箔はアルミニウム箔を備える。このアルミニウム箔は９９．５パーセント純アルミニウムの反射箔を備え得る。
【００１５】
好ましくは外側層のうちの少なくとも一方は引き裂き抵抗のために補強される。この補強は、補強が強度と引き裂き抵抗を与えるために箔層に接合されたスクリムによって与えられ得る。好ましくはこのスクリムは、アルミニウム箔にラミネート（積層）された高密度ポリエチレン織物を備える。他のタイプのスクリムも使用可能であって、一例はポリプロピレン織物である。
【００１６】
好ましくは、反射層の１つは、グレア低減のために処理され得る。この層は、着色などの表面処理を適用するような任意の適当な方法で処理され得る。この表面処理のための適当な色は、赤、青、緑またはオレンジの色調を含む。
【００１７】
グレア低減処理は、理想的にはＥ＝０．０８からＥ＝０．１４の範囲内の上側反射空間によって熱抵抗を与えるように十分に低い放射を与えながら、より大きな快適さと眩しくて見えないことに対する保護とを与えるグレア低減を与えるように設計される。
【００１８】
クローズドセル発泡体構造物は好ましくは難燃性を備える。これは、この発泡体構造物が形成される樹脂に適量の難燃材料を加えることによって達成され得る。
【００１９】
好ましくは、耐久性を与えるためにこの発泡体に抗酸化剤が加えられる。好ましくはこの断熱シートに紫外線防護性も与えられる。
【００２０】
この断熱シートは、価値のある断熱効果を与えながら固定のための荷重の下で圧縮可能であるので有利である。これはクローズドセル発泡体構造物の存在によるものである。
【００２１】
あるいくつかの用途では外側層は、断熱シートを貫通する空気および水蒸気透過性のために穿孔され得る。
【００２２】
好ましくはこれらの穿孔は、オーストラリアおよびニュージーランド規格ＡＳ／ＮＺＳ４２００．１の下での水蒸気透過に対する抵抗に関する低い等級を達成することによって水蒸気に透過性を与えるようなサイズ、間隔および数になっている。このような透過性は、建物が断熱シートを通して「呼吸する」ことを可能にし、また断熱シートの障壁効果に起因する結露の形成を最小限にする。
【００２３】
好ましくはこれらの穿孔は、断熱シートの構築の後に形成される。一構成において、これらの穿孔は、２つの外側層を貫通するだけでなく、これらの外側層の間に配置されたクローズドセル発泡体構造物も完全に貫通して延びることが可能である。もう１つの構成では穿孔は、２つの外側層を貫通して、またこれらの外側層の間に配置されたクローズドセル発泡体構造物を部分的に通して延びることが可能である。後者の構成では穿孔は、一方の外側層からクローズドセル発泡体構造物内に延びて、他方の外側層の内側のクローズドセル発泡体構造物の内部で終わり得る。この構成ではこれらの穿孔は、上記一方の外側層を貫通してクローズドセル発泡体構造物内に延びて、他方の外側層の内側で終わる孔を備えてもよく、これらの孔は上記一方の外側層の開口部において上記一方の外側層上で開き、また他方の外側層には対応する開口部が存在する。
【００２４】
外側層の穿孔と中心のクローズドセル発泡体構造物は好ましくは、このシートを貫通する空気および水蒸気の透過を助けるために位置合わせされている。これらの穿孔は、種々の予め決められた間隔でシートに穿孔するように設計された１セットの鋭利な先端突起を備える穿孔装置を用いてシートに穿孔することによって生成され得る。
【００２５】
本発明の第２の態様によれば、フレームと、このフレームに取り付けられたクラッディングと、フレームとクラッディングとの間の本発明の第１の態様による断熱シートを備える断熱材とを備える建築構造物が提供される。
【００２６】
本発明は、付属図面に示されるように本発明のいくつかの特定の実施形態の上記の説明を参照することによって、よりよく理解される。
【図面の簡単な説明】
【００２７】
【図１】内部のクローズドセル発泡体構造物を現すために断熱シートの外側層の一部が除去された第１の実施形態による断熱シートの断片の概略正面図である。
【図２】図１の断熱シートの断片の側面図である。
【図３】第１の実施形態による断熱シートが設置された建築構造物の断片の斜視図である。
【図４】図３に示された建築構造物の断片の断面図である。
【図５】内部のクローズドセル発泡体構造物を現すために断熱シートの外側層の一部が除去された第２の実施形態による断熱シートの断片の概略正面図である。
【図６】図５の断熱シートの断片の側面図である。
【図７】第３の実施形態による断熱シートの断片の側面図である。
【発明を実施するための形態】
【００２８】
図面の図１および図２を参照すると、第１の実施形態による断熱シート１０が示されている。断熱シート１０は、２つの外側層１１、１２とこれらの層の間に接合されたクローズドセル構造物１３とを備える。各外側層１１、１２は外側表面１４を有する。
【００２９】
シート１０は、このシートがロール構成にされ、また実質的に平坦な構成を取るために広げられることを可能にする、外側表面１４の間での厚さになっている。この厚さは、典型的な用途のために最大約１２ｍｍであり得る。１つの典型的な用途では厚さは約４ｍｍであり、もう１つの典型的な用途では厚さは約８〜９ｍｍである。
【００３０】
外側層１１、１２の各々は、補強された反射性アルミニウム箔を備える。この反射性アルミニウム箔は、高密度ポリエチレンスクリムで補強された９９．５％純アルミニウムの反射箔を備える。この補強は、断熱シート１０の引張り強度を向上させて、このシートが建築構造物において長いスパンに亘って設置されることを可能にする。この補強はまた、より大きな引き裂き強度を与える。
【００３１】
外側層１１、１２は、任意の適当な方法でクローズドセル発泡体構造物に適用され得る。特に適した１つの方法は、熱融解ラミネーションプロセスに関連する。
【００３２】
クローズドセル発泡体構造物（the closed cell foam structure）１３は、少なくともある弾力性を有して圧縮可能である柔軟な軽量発泡体を備える。本実施形態ではクローズドセル発泡体構造物１３は、交差結合されたＬＤＰＥ発泡体を備える。ポリエチレン発泡体は、紫外線防護性と難燃性と抗酸化剤を組み込んでいる。難燃性は、ＡＳ１５３０．２準拠を与えるというものである。実にこの難燃性は、ＡＳ１５３０．２の下で５以下の防火指数を与え得る。抗酸化剤保護性は、設置されたときに最小１５年の製品寿命を与えるというものである。
【００３３】
クローズドセル発泡体構造物１３の交差結合構造は、前述の従来技術の断熱シートと比較して、改善された断熱および防音特性ならびに耐熱性および耐炎性を与える。特に、交差結合ＬＤＰＥ発泡体から作られたクローズドセル発泡体構造物１３は、交差結合から生じる発泡体の本来の剛性のために前述の従来技術のシートより薄い断熱シートの構築を可能にする。更に、交差結合ＬＤＰＥ発泡体内のクローズドセルは、従来技術のシート内の気泡よりサイズが遥かに小さい。実に発泡体構造物１３内のクローズドセルは、典型的には０．１ｍｍ未満の断面サイズのマイクロカプセル封入された気泡を備える。この構成により気泡は、発泡体構造物１３内に概ね均一に分散されるので、より良好な耐火性を与える。これは、前述の従来技術の断熱材に存在するような、燃焼を助けるための比較的大きな気泡が存在しないためである。マイクロカプセル封入された気泡の一様な分布もまた、熱および音響エネルギー伝達に対する抵抗力を与える。
【００３４】
本実施形態では、反射箔は約６．５μｍの厚さを有し、スクリムは６ｍｍ×６ｍｍの織物を有する高密度ポリエチレンスクリムを備える。
【００３５】
層１１、１２のうちの一方の層の外側表面１４は、熱反射特性を保持しながら、あるグレア低減を与えるように処理される。グレア低減は、シートがある時間の間、露出され、そのために付近の人々にグレア問題を引き起こす可能性のある建設現場において特に望ましい可能性がある。本実施形態ではこの処理は、着色を含む。本実施形態で着色剤は、オレンジ顔料を含む。
【００３６】
第１の実施形態による断熱シートは、Ｒ０．２０ｍ２Ｋ／Ｗ（＋／−０．２５ｍ２Ｋ／Ｗ）の材料熱抵抗を有する。
【００３７】
熱伝達に対する障壁を与えることに加えて、第１の実施形態によるシート１０はまた、空気と水蒸気に対する障壁も与える。
【００３８】
断熱シート１０は、価値ある断熱効果を与えながら固定のための荷重の下で圧縮可能であるので有利である。これは、クローズドセル発泡体構造物の存在によるものである。
【００３９】
断熱シートは、この断熱シートがフレームとクラッディングとの間に設置され得る場合にフレームとこのフレームに取り付けられるクラッディングとを含む建築構造物での使用に適している。このクラッディングは、壁クラッディングまたは屋根クラッディングを含み得る。
【００４０】
この断熱シートは特に、フレームとクラッディング（覆い）との熱ブリッジと伝導性とを減らすために鋼フレームと壁クラッディング（覆い）との間の断熱層にこの断熱シートが必要である場合に、鋼フレーム建築構造物の設置のために適している。このような設置の典型的な一例が図３および４に示されている。この設置物は、建築構造物１７の壁フレーム１５とクラッディング（覆い）１６との間に設置されたシート１０を備える。壁フレーム１５は、スタッド（studs, 間柱）１８およびノッギング（noggings, 水平材）１９などの壁フレーム要素を備える。クラッディング１６は、適当な場所２０においてクラッディング（覆い）１６と壁フレーム１５との間に断熱シート１０を圧縮して壁フレーム１５に取り付けられる。クラッディング（覆い）１６と断熱シート１０との間に（断熱シート１０がクラッディング（覆い）１６と壁フレーム要素との間で圧縮された場所以外の場所に）隙間２３を確立するようにクラッディング（覆い）１６に関して間隔をあけて断熱シートを保持するために断熱シート１０の上にスペーサ２１（スペーサビスケットとして知られる）が設けられる。
【００４１】
本実施形態による断熱シートは、断熱層、断熱および水蒸気障壁として機能し得る。これは、通常の用途では防水性であって水によって影響されない。したがって、これは湿潤気候のために特に適し、水害に対する保護を与え得る。これは、菌類または細菌の成長を促進せず、またげっ歯動物および昆虫のための営巣媒体を与えない。
【００４２】
結露による湿損の危険を減らすために断熱シートが空気と水蒸気に対して、ある透過性を有することが望ましいあるいくつかの状況が存在する。第２の実施形態による断熱シートは、このような断熱シートを与えることを探求する。
【００４３】
次に図５および図６を参照すると、第２の実施形態による断熱シートは、第１の実施形態による断熱シートに多くの点で類似し、したがって対応する部分を識別するために、対応する参照符号が使用されている。
【００４４】
しかしながら第２の実施形態では、断熱シートは空気および水蒸気に対する透過性を備えている。これに関して断熱シートは、２つの外側表面１４の間にシート１０を貫通して延びる複数の穿孔２５を有する。穿孔２５は、穿孔ツールを用いてシート１０に穿孔することによって形成された孔２７を備える。孔２７は、開口部２８において外側層の外側表面１４で開くように外側層１１、１２を貫通して延びるばかりでなく、クローズドセル発泡体構造物１３も貫通して延びている。穿孔２５は、発泡体の圧縮可能な性質のためにクローズドセル発泡体構造物１３においては、はっきり見えない。クローズドセル発泡体構造物１３内で潰れていても、穿孔２５は空気と水蒸気のためにシート１０を貫通する透過経路を与える。
【００４５】
さて図７を参照すると、第３の実施形態による断熱シートは、第２の実施形態による断熱シートに多くの点で類似し、したがって対応する部分を識別するために、対応する参照符号が使用されている。
【００４６】
第３の実施形態では、穿孔２５は、２つの外側層１１、１２を貫通し、これら２つの外側層の間に配置されたクローズドセル発泡体構造物１３を途中まで通して延びている。特にこれらの穿孔は、外側層１１からクローズドセル発泡体構造物１３内に延びて、他の外側層１２の内側においてクローズドセル発泡体構造物１３内で終わる孔２７を備える。穿孔は第２の実施形態の場合と同様に２つの外側層１１、１２に開口部２８を備える。孔２７は、外側層１１の対応する開口部２８から延びて、孔２７と外側層１２との間に空隙２９を画定するために外側層１２の開口部２８の内側で終わっている。
【００４７】
本発明の範囲が上記の３つの実施形態の範囲に限定されないことは理解されるべきである。例えば両外側層１１、１２が反射箔であることは必要でない。これらの外側層の一方は反射箔（好ましくはグレア（まぶしい光）低減のために処理された）であることが可能であり、他方の層は例えばポリエチレンフィルムを含む任意の適当なタイプの膜を備え得る。
【００４８】
本発明の範囲から逸脱せずに修正と変更が行われ得る。
【００４９】
本明細書全体を通して、文脈がほかの事を必要としなければ、
用語「備える（ｃｏｍｐｒｉｓｅ）」または「備える（ｃｏｍｐｒｉｓｅｓ）」または「備えている（ｃｏｍｐｒｉｓｉｎｇ）」は、明確に述べられた整数または整数のグループの包含を意味するが、いかなる他の整数または整数のグループの除外も意味しないと理解される。
【図１】
2009540159.tif 000003
【図２】
2009540159.tif 000004
【図３】
2009540159.tif 000005
【図４】
2009540159.tif 000006
【図５】
2009540159.tif 000007
【図６】
2009540159.tif 000008
【図７】
2009540159.tif 000009
【国際調査報告】
2009540159.tif 000010
2009540159.tif 000011
2009540159.tif 000012